(57)【要約】      （修正有）【課題】既存屋根の上にアスファルトシングルを施工する際に、該アスファルトシングルの端部を覆い、他の部材との連結を可能とするとともに、既存外壁の通気口を塞がない見切り材を提供する。【解決手段】見切り材Ａ１は、施工した際にアスファルトシングルの表面の一部を被覆する表面部ａ１と、該表面部の端部から垂直に延び、施工の際にはシーリングが打設されるシーリング打設部ｂ１と、該シーリング打設部の端部から垂直で、該表面部と平行に延びた背面部ｃ１と、該表面部と平行な固定部ｅ１と、該背面部と該固定部とを連結する連結部ｄ１とを備える。そして、１枚の金属板を加工することにより、表面部と、シーリング打設部と、背面部と、連結部と、固定部とが連続した状態で形成されており、該背面部の裏面には弾性体を有する。【選択図】図１
0003163253.tif 000002
【実用新案登録請求の範囲】
【請求項１】
既存屋根の上にアスファルトシングルを施工する際に、該アスファルトシングルの端部を覆い、他の部材との連結を可能とするとともに、既存外壁の通気口を塞がない見切り材であって、
施工した際に前記アスファルトシングルの表面の一部を被覆する表面部と、
前記表面部の端部から垂直に延び、施工の際にはシーリングが打設されるシーリング打設部と、
前記シーリング打設部の端部から垂直で、前記表面部と平行に延びた背面部と、
前記表面部と平行な固定部と、
前記背面部と前記固定部とを連結する連結部とを備え、
１枚の金属板を加工することにより、前記表面部と、前記シーリング打設部と、前記背面部と、前記連結部と、前記固定部とが連続した状態で形成されており、
前記背面部の裏面には弾性体を有する
ことを特徴とする見切り材。
【請求項２】
前記表面部の端部には折り返しを有する
ことを特徴とする請求項１に記載の見切り材。
【請求項３】
前記固定部の端部には折り返しを有する
ことを特徴とする請求項１又は２に記載の見切り材。
【考案の詳細な説明】
【技術分野】
【０００１】
本考案は、既存屋根の上にアスファルトシングルを施工する際に、該アスファルトシングルの端部を覆い、他の部材との連結を可能とするとともに、既存外壁の通気口を塞がない見切り材に関するものである。
【背景技術】
【０００２】
従来より、繊維補強セメント板、アスファルトシングルなどを屋根材として屋根に施工することが行われているが、これらの屋根材は経年、又は暴風雨により劣化した際に改修が行われている。
【０００３】
そこで、本考案者は、既存の屋根材を改修する際に、既存の屋根材の上に新たにアスファルトシングルを施工することを検討した。既存の屋根材の上に新たにアスファルトシングルを施工すると、該アスファルトシングルは軒先から壁際に向かって順次施工するので、壁際のアスファルトシングルは、サイズ調整のために切断されることがある。そのため、壁際のアスファルトシングルの端部側面は、内部が露出することもあり、見栄えが悪い。また、既存の屋根材を施工した際に、壁際に雨押さえ材が既に設けられているので、アスファルトシングルを既存の雨押さえ材と連結させなければならないという問題もある。
【０００４】
特許文献１には、外壁パネルからなる外壁と、この外壁からのびる家屋張出し部との交わり部を水切りする水切り板を取付ける水切り板の取付構造であって、該外壁パネルの下地板外面を平坦とするとともに、水切り板は、該家屋張出し部に沿う遮水部と該外面に沿う立上げ部とを具えるとともに、該立上げ部の外面に、外装板を配設したことを特徴とする水切り板の取付構造が記載されている。
【先行技術文献】
【特許文献】
【０００５】
【特許文献１】特開平８−１６５７８０号公報
【考案の概要】
【考案が解決しようとする課題】
【０００６】
特許文献１に記載の水切りを、新設するアスファルトシングルに用いる事は可能であるが、該水切りでは、外壁の通気口を塞いでしまう。特許文献１の水切りに通気口を設けることが考えられるが、通気口を設けると、該通気口から雨水が浸入するという問題が発生する。
【０００７】
本考案は、既存屋根の上にアスファルトシングルを施工する際に、該アスファルトシングルの端部を覆い、他の部材との連結を可能とするとともに、既存外壁の通気口を塞がない見切り材を提供するものである。
【課題を解決するための手段】
【０００８】
本考案は、既存屋根の上にアスファルトシングルを施工する際に、該アスファルトシングルの端部を覆い、他の部材との連結を可能とするとともに、既存外壁の通気口を塞がない見切り材である。本考案の見切り材は、施工した際にアスファルトシングルの表面の一部を被覆する表面部と、該表面部の端部から垂直に延び、施工の際にはシーリングが打設されるシーリング打設部と、該シーリング打設部の端部から垂直で、該表面部と平行に延びた背面部とを備える。表面部と、シーリング打設部と、背面部により空間が形成されるが、該空間にはアスファルトシングルを差し込むことができるので、本考案の見切り材は、該アスファルトシングルの端部を覆うことができる。また、本考案の見切り材は、表面部と平行な固定部と、背面部と該固定部とを連結する連結部も備えるので、既存屋根の上に安定して固定することができる。そして、本考案の見切り材は、１枚の金属板を加工することにより、表面部と、シーリング打設部と、背面部と、連結部と、固定部とが連続した状態で形成されているので、強度に優れる。また、金属のシーリング打設部を有するので、シーリングを付着させることができ、それにより、シーリングを介して他の部材と連結させることができる。更に、背面部の裏面には弾性体を有するので、背面部を平坦ではない箇所に施工した場合でも、該弾性体が潰れて不陸を解消するので、背面部を平坦ではない箇所にも施工することができる。もちろん、平坦な箇所にも施工することができる。なお、金属板としては、アルミニウム−亜鉛合金メッキ鋼板、溶融亜鉛−アルミニウム合金メッキ鋼板、亜鉛−アルミニウム−マグネシウム複合メッキ鋼板、溶融アルミニウムメッキ鋼板、亜鉛−アルミニウム合金メッキ鋼板、亜鉛鉄板、アルミ鋼板、ステンレス鋼板、合金めっき鋼板、トタン、銅板などの金属板がある。弾性体としては、エチレンゴムやＥＰＤＭ（エチレン・プロピレンゴム）等からなるゴム発泡体、或いはポリエチレン等の合成樹脂発泡体等がある。
更に、本考案の見切り材は、表面部の端部に折り返しを有すると、水切りに優れるので好ましい。また、固定部の端部に折り返しを有すると、該見切り材を保管、運搬する際に、該固定部の端部により他の商品が傷つくことを防ぐことができるとともに、運搬、施工の際に、該固定部の端部により人が怪我をするのを防ぐことができるので好ましい。
【考案の効果】
【０００９】
本考案によれば、既存屋根の上にアスファルトシングルを施工する際に、該アスファルトシングルの端部を覆い、他の部材との連結を可能とするとともに、既存外壁の通気口を塞がない見切り材を提供することができる。
【図面の簡単な説明】
【００１０】
【図１】図１は、本考案にかかる見切り材の一実施例の側面図である。
【図２】図２は、図１に示す見切り材の背面図である。
【図３】図３は、図１、２に示す見切り材を用いてアスファルトシングルを施工した状態を示す断面図である。
【図４】図４は、本考案にかかる見切り材の他の実施例の側面図である。
【図５】図５は、本考案にかかる見切り材の更に他の実施例の側面図である。
【図６】図６は、本考案にかかる見切り材の更に他の実施例の側面図である。
【図７】図７は、本考案にかかる見切り材の更に他の実施例の側面図である。
【考案を実施するための形態】
【００１１】
以下、図面を参照しながら本考案について詳細に説明する。
【００１２】
図１は、本考案にかかる見切り材の一実施例の側面図であり、図２は、同じ見切り材の背面図である。
図１に示す見切り材Ａ１は、１枚のアルミニウム−亜鉛合金メッキ鋼板を加工して製造されている。
見切り材Ａ１は、施工した際にアスファルトシングルの表面の一部を被覆する表面部ａ１と、表面部ａ１の端部から垂直に延び、施工の際にはシーリングが打設されるシーリング打設部ｂ１と、シーリング打設部ｂ１の端部から垂直で、表面部ａ１と平行に延びた背面部ｃ１と、表面部ａ１と平行な固定部ｅ１と、背面部ｃ１と固定部ｅ１とを連結する連結部ｄ１とを備える。そして、背面部ｃ１の裏面にはＥＰＤＭｆ１を２つ有する。なお、ＥＰＤＭｆ１は、図２に示すように、それぞれが背面部ｃ１の長手方向と平行となるよう、背面部ｃ１の裏面に延びている。
見切り材Ａ１は、表面部ａ１、シーリング打設部ｂ１、背面部ｃ１、連結部ｄ１、固定部ｅ１とが１枚のアルミニウム−亜鉛合金メッキ鋼板を加工して製造されているので、強度に優れる。また、表面部ａ１、シーリング打設部ｂ１、背面部ｃ１により形成された空間にアスファルトシングルを差し込むことができる。更に、シーリング打設部ｂ１を有するので、シーリング打設部ｂ１と他の部材との間にシーリングを打設することにより、他の部材と連結することができる。更に、背面部ｃ１の裏面に設けられたＥＰＤＭｆ１は弾性を有するので、背面部ｃ１が不陸を有する箇所に施工されたとしても、ＥＰＤＭｆ１が潰れて不陸を解消し、見切り材Ａ１を安定して固定することができる。
【００１３】
図３は、図１、２に示す見切り材を用いてアスファルトシングルを施工した状態を示す断面図である。
図３では、既存の屋根材Ｆの上にアスファルトルーフィングを施工し、その上に図１、２に示す見切り材Ａ１を施工している。見切り材Ａ１は、固定部ｅ１の裏面が既存の屋根材Ｆの上に施工されたアスファルトルーフィングに当接した状態で、釘Ｅを打ち込んで固定されている。また、シーリング打設部ｂ１と既存雨押さえ材Ｃとの間にシーリングＧが打設されており、見切り材Ａ１と既存雨押さえ材Ｃとは連結している。なお、背面部ｃ１は既存雨押さえ材Ｃの傾斜面上にあるが、背面部ｃ１の裏面に設けられたＥＰＤＭｆ１により不陸は解消し、安定して固定されている。そして、見切り材Ａ１の表面部ａ１、シーリング打設部ｂ１、背面部ｃ１により形成された空間には、新しく施工するアスファルトシングルＢが差し込まれて固定されている。そのため、見切り材Ａ１は、アスファルトシングルＢの端部を覆うことができる。また、アスファルトシングルＢと既存雨押さえ材Ｃを連結するとともに、外観を良くすることができる。更に、見切り材Ａ１は、図３に示すように、既存外壁Ｄと既存雨押さえ材Ｃにより形成された通気口を塞がないので、矢印で示すように通気するよう通気路を確保することが可能である。
【００１４】
図４は、本考案にかかる見切り材の他の実施例の側面図である。
図４に示す見切り材Ａ２も、図１に示す見切り材Ａ１と同じように、１枚のアルミニウム−亜鉛合金メッキ鋼板を加工して製造されており、表面部ａ２、シーリング打設部ｂ２、背面部ｃ２、連結部ｄ２、固定部ｅ２、ＥＰＤＭｆ２を有する。しかし、見切り材Ａ２は、見切り材Ａ１とは、表面部ａ２の端部に折り返しを有することが異なる。他は見切り材Ａ１と同じであり、見切り材Ａ１と同じように施工することができ、見切り材Ａ１と同じ効果を得ることができる。また、見切り材Ａ２では、表面部ａ２の端部が折り返されているので、水切りに優れる。
【００１５】
図５は、本考案にかかる見切り材の更に他の実施例の側面図である。
図５に示す見切り材Ａ３も、図１に示す見切り材Ａ１と同じように、１枚のアルミニウム−亜鉛合金メッキ鋼板を加工して製造されており、表面部ａ３、シーリング打設部ｂ３、背面部ｃ３、連結部ｄ３、固定部ｅ３、ＥＰＤＭｆ３を有する。しかし、見切り材Ａ３は、見切り材Ａ１とは、固定部ｅ３の端部に折り返しを有することが異なる。他は見切り材Ａ１と同じであり、見切り材Ａ１と同じように施工することができ、見切り材Ａ１と同じ効果を得ることができる。また、見切り材Ａ３では、固定部ｅ３の端部が折り返されているので、見切り材Ａ３を保管、運搬する際に、固定部ｅ３の端部により他の商品が傷つくことを防ぐことができるとともに、運搬、施工の際に、固定部ｅ３の端部により人が怪我をするのを防ぐことができる。
【００１６】
図６は、本考案にかかる見切り材の更に他の実施例の側面図である。
図６に示す見切り材Ａ４も、図１に示す見切り材Ａ１と同じように、１枚のアルミニウム−亜鉛合金メッキ鋼板を加工して製造されており、表面部ａ４、シーリング打設部ｂ４、背面部ｃ４、連結部ｄ４、固定部ｅ４、ＥＰＤＭｆ４を有する。しかし、見切り材Ａ４は、見切り材Ａ１とは、表面部ａ４と固定部ｅ４の端部に折り返しを有することが異なる。他は見切り材Ａ１と同じであり、見切り材Ａ１と同じように施工することができ、見切り材Ａ１と同じ効果を得ることができる。また、見切り材Ａ４では、表面部ａ４の端部が折り返されているので、水切りに優れる。更に、固定部ｅ４の端部が折り返されているので、見切り材Ａ４を保管、運搬する際に、固定部ｅ４の端部により他の商品が傷つくことを防ぐことができるとともに、運搬、施工の際に、固定部ｅ４の端部により人が怪我をするのを防ぐことができる。
【００１７】
図７は、本考案にかかる見切り材の更に他の実施例の側面図である。
図７に示す見切り材Ａ５も、図１に示す見切り材Ａ１と同じように、１枚のアルミニウム−亜鉛合金メッキ鋼板を加工して製造されており、表面部ａ５、シーリング打設部ｂ５、背面部ｃ５、連結部ｄ５、固定部ｅ５、ＥＰＤＭｆ５を有する。しかし、見切り材Ａ５は、見切り材Ａ１とは、ＥＰＤＭが異なる。すなわち、見切り材Ａ５では、背面部ｃ５の裏面には、図１に示したＥＰＤＭｆ１よりも縦幅の大きいＥＰＤＭｆ５が、背面部ｃ５の長手方向と平行となるよう延びており、その数は１つである。他は見切り材Ａ１と同じであり、見切り材Ａ１と同じように施工することができ、見切り材Ａ１と同じ効果を得ることができる。
【００１８】
以上に本考案の実施形態について説明したが、本考案はこれに限定されず、実用新案登録請求の範囲に記載の考案の範囲において種々の変形態を取り得る。
【産業上の利用可能性】
【００１９】
以上説明したように、本考案によれば、既存屋根の上にアスファルトシングルを施工する際に、該アスファルトシングルの端部を覆い、他の部材との連結を可能とするとともに、既存外壁の通気口を塞がない見切り材を提供することができる。
【符号の説明】
【００２０】
Ａ１〜Ａ５    見切り材
Ｂ    アスファルトシングル
Ｃ    既存雨押さえ材
Ｄ    既存外壁材
Ｅ    釘
Ｆ    既存の屋根材
Ｇ    シーリング
ａ１〜ａ５    表面部
ｂ１〜ｂ５    シーリング打設部
ｃ１〜ｃ５    背面部
ｄ１〜ｄ５    連結部
ｅ１〜ｅ５    固定部
ｆ１〜ｆ５    ＥＰＤＭ
【図１】
0003163253.tif 000003
【図２】
0003163253.tif 000004
【図３】
0003163253.tif 000005
【図４】
0003163253.tif 000006
【図５】
0003163253.tif 000007
【図６】
0003163253.tif 000008
【図７】
0003163253.tif 000009